(57)【特許請求の範囲】
【請求項１】
打ち込まれる遊技球が入賞可能な入賞口と、その入賞口の上方に配置され、上部に遊技球を転動させることが可能なステージ面が形成された遊技部材とを有する遊技盤面を備えた遊技機であって、
前記遊技部材は、前記ステージ面上を転動する遊技球を前記入賞口に向けて案内する誘導孔を備え、
前記誘導孔は、
前記ステージ面に設けられた開口であって、前記ステージ面上を転動する遊技球が進入可能な球入口と、
前記入賞口の直上に設けられた開口であって、前記球入口に進入した遊技球を前記入賞口に向けて排出する球出口と、
前記球入口から前記球出口まで延びる遊技球の流路であって、その内部を流れる遊技球の中心が通る軌跡を平面視で屈折させる案内路とを備え、
前記案内路は、前記球入口から下方に延びる第一流路と、前記第一流路の下端部の左右方向中心に対して左方向または右方向に僅かにずれた形で連設し、前記球出口に向かって前方に延びる第二流路とからなる、側面視で略Ｌ字型の流路であることを特徴とする遊技機。
【請求項２】
前記第一流路の内周面には、下端に向かって流路が狭くなるように、傾斜角が異なる一対の傾斜面が形成されていることを特徴とする請求項１に記載の遊技機。
【請求項３】
前記一対の傾斜面は、
垂直方向に向かって所定角度をなすように傾斜し、前記球入口に進入した遊技球に対して斜め下方から接触する第一傾斜面と、
前記第一傾斜面よりも低い位置に設けられ、且つ垂直方向に向かって前記所定角度よりも大きい角度をなすように傾斜し、前記第一傾斜面との接触によって弾かれた遊技球に対して、前記第一傾斜面とは異なる斜め下方から接触する第二傾斜面とからなり、
前記第二流路は、前記第二傾斜面との接触によって弾かれた遊技球を案内することを特徴とする請求項２に記載の遊技機。
【請求項４】
前記第一傾斜面の下端部と前記第二傾斜面の下端部との間隔は、前記遊技球の径よりも小さいことを特徴とする請求項３に記載の遊技機。
【請求項５】
前記第一流路と前記第二流路との連設部分には、前記第一流路の下端部よりも前記第二流路の下端部のほうが低くなるように段差が形成されていることを特徴とする請求項１から４のいずれかに記載の遊技機。
【請求項６】
前記第二流路は、平面視で前記球出口の中心位置を通るように前後方向に延びる、遊技球の下端部が嵌まる溝部であることを特徴とする請求項１から５のいずれかに記載の遊技機。
【発明の詳細な説明】
【技術分野】
【０００１】
本発明は、遊技盤面内の遊技領域に打ち込まれた遊技球を転動させることが可能な遊技部材を有する遊技機に関する。
【背景技術】
【０００２】
従来、遊技球が打ち込まれる遊技領域に配設される遊技部材として、遊技領域を流下する遊技球の一部を始動入賞口に向けて案内可能な飾り部材が知られている（例えば、特許文献１参照）。特許文献１に記載の遊技機では、遊技球が転動するステージ面に誘導孔が形成されており、この誘導孔に落下した遊技球は始動入賞口の直上に導かれる。これにより、ステージ面を転動する遊技球については、始動入賞口に入賞する確率が高められる。
【先行技術文献】
【特許文献】
【０００３】
【特許文献１】特開２００５−８７５１３号公報
【発明の概要】
【発明が解決しようとする課題】
【０００４】
しかしながら、ステージ上で不規則に転動する遊技球には、その転動方向に作用する慣性が生じる。誘導孔に落下した遊技球は、作用する慣性に応じて誘導孔内で転動方向に揺動するため、誘導孔の内壁で乱反射するように弾かれながら移動する。この場合、誘導孔から排出される遊技球に、不規則な方向に作用する慣性が生じることがある。そうすると、誘導孔から排出された遊技球が、誘導孔の直下とは異なる位置に落下してしまい、始動入賞口の開口端近傍に配置される遊技くぎで弾かれて入賞しないことがあった。
【０００５】
遊技者は、ステージ上で転動する遊技球が誘導孔に落下した場合、その遊技球が始動入賞口に入賞することを予期する。そのため、遊技球が誘導孔に落下したにも関わらず始動入賞口に入賞しなかった場合は、遊技者は大きく落胆してしまい、興趣が低下するおそれがあった。
【０００６】
本発明は、誘導孔に進入した遊技球を入賞口の直上に導くことができる遊技機を提供することを目的とする。
【課題を解決するための手段】
【０００７】
本発明の一態様に係る遊技機は、打ち込まれる遊技球が入賞可能な入賞口と、その入賞口の上方に配置され、上部に遊技球を転動させることが可能なステージ面が形成された遊技部材とを有する遊技盤面を備えた遊技機であって、前記遊技部材は、前記ステージ面上を転動する遊技球を前記入賞口に向けて案内する誘導孔を備え、前記誘導孔は、前記ステージ面に設けられた開口であって、前記ステージ面上を転動する遊技球が進入可能な球入口と、前記入賞口の直上に設けられた開口であって、前記球入口に進入した遊技球を前記入賞口に向けて排出する球出口と、前記球入口から前記球出口まで延びる遊技球の流路であって、その内部を流れる遊技球の中心が通る軌跡を平面視で屈折させる案内路とを備え、前記案内路は、前記球入口から下方に延びる第一流路と、前記第一流路の下端部の左右方向中心に対して左方向または右方向に僅かにずれた形で連設し、前記球出口に向かって前方に延びる第二流路とからなる、側面視で略Ｌ字型の流路である。
【０００８】
上記遊技機によれば、ステージ面上を転動する遊技球を入賞口に向けて案内する誘導孔は、球入口、案内路、および球出口を備える。球入口に進入した遊技球は、案内路を経由して球出口まで流動する。このとき、案内路の内部を流れる遊技球の中心が通る軌跡は、平面視で屈折している。つまり、誘導孔に落下した遊技球は、案内路内で蛇行するように案内される過程で、ステージ面上での転動時に生じた慣性の作用が大幅に低減される。そうすると、球出口から排出される遊技球に不規則な方向に作用する慣性が生じることを抑制でき、遊技球の挙動を安定させることができる。ひいては、遊技球が誘導孔の直下に向けて正確に排出されるため、遊技球を入賞口の直上に導いて高確率で入賞させることができる。
【０００９】
また、第一流路を経由した遊技球は、第二流路に向けて流動方向が変化する。したがって、球入口から落下した遊技球は、この流動方向の変化によって、ステージ面上での転動時に生じた慣性の作用が大幅に低減される。その結果、案内路内における遊技球の勢いが弱められるから、遊技球が球出口から大きく飛び出すことを抑制でき、ひいては、遊技球を入賞口に高確率で入賞させることができる。
【００１０】
本態様の遊技機において、前記第一流路の内周面には、下端に向かって流路が狭くなるように、傾斜角が異なる一対の傾斜面が形成されてもよい。この場合、第一流路に傾斜角が異なる一対の傾斜面を設けることで、球入口に進入した遊技球を一対の傾斜面のいずれかに優先的に接触させて、遊技球を案内路内で蛇行させることができる。
【００１１】
本態様の遊技機において、前記一対の傾斜面は、垂直方向に向かって所定角度をなすように傾斜し、前記球入口に進入した遊技球に対して斜め下方から接触する第一傾斜面と、前記第一傾斜面よりも低い位置に設けられ、且つ垂直方向に対して前記所定角度よりも大きい角度をなすように傾斜し、前記第一傾斜面との接触によって弾かれた遊技球に対して、前記第一傾斜面とは異なる斜め下方から接触する第二傾斜面とからなり、前記第二流路は、前記第二傾斜面との接触によって弾かれた遊技球を案内してもよい。
【００１２】
この場合、球入口に進入した遊技球は、第一傾斜面に接触して弾かれる。第一傾斜面で弾かれた遊技球は、第二傾斜面に接触して弾かれる。このように一対の傾斜面で順次弾かれることで、遊技球を案内路内で蛇行させることができる。また、第二流路で案内される遊技球は、ステージ面上での転動時に生じた慣性の作用が大幅に低減されているので、球ブレのない状態で球出口から排出することができる。
【００１３】
本態様の遊技機において、前記第一傾斜面の下端部と前記第二傾斜面の下端部との間隔は、前記遊技球の径よりも小さくてもよい。この場合、球入口に進入した遊技球を、第一傾斜面および第二傾斜面の両方で弾かれやすくすることができ、ひいてはステージ面上での転動時に生じた慣性の作用をさらに低減できる。
【００１４】
本態様の遊技機において、前記第一流路と前記第二流路との連設部分には、前記第一流路の下端部よりも前記第二流路の下端部のほうが低くなるように段差が形成されてもよい。この場合、第一流路を経由した遊技球は、第一流路よりも低い位置にある第二流路に、段差を介して案内される。遊技球がこの段差を落下する時の衝撃によって、ステージ面上での転動時に生じた慣性の作用をさらに低減できる。
【００１５】
本態様の遊技機において、前記第二流路は、平面視で前記球出口の中心位置を通るように前後方向に延びる、遊技球の下端部が嵌まる溝部であってもよい。この場合、第二流路では遊技球の下端部が溝部に嵌まるため、溝部の形成方向とは異なる方向への移動が規制されつつ、遊技球が溝部に沿って球出口まで案内される。したがって、第二流路で案内される遊技球について、ステージ面上での転動時に生じた慣性の作用をさらに低減できる。
【図面の簡単な説明】
【００１６】
【図１】パチンコ機１の正面図である。
【図２】演出装置３０の斜視図である。
【図３】装飾部材４０の正面図である。
【図４】ステージ５０およびその周辺部分を示した斜視図である。
【図５】誘導孔９０およびその周辺部分を示した拡大正面図である。
【図６】誘導孔９０およびその周辺部分を示した拡大背面図である。
【図７】図３のＡ−Ａ線断面図である。
【図８】ステージ５０を取り除いた、装飾部材４０の斜視図である。
【図９】誘導孔９０のみを拡大した斜視図である。
【図１０】誘導孔９０のみを拡大した平面図である。
【図１１】遊技時における、ステージ５０での遊技球の状態を示した図である。
【図１２】遊技時における、図３のＡ−Ａ線断面図である。
【図１３】遊技時における、誘導孔９０での遊技球の状態を示した拡大正面図である。
【図１４】遊技時における、ステージ５０を取り除いた、誘導孔９０での遊技球の状態を示した拡大平面図である。
【発明を実施するための形態】
【００１７】
以下、本発明に係る遊技機の一実施の形態であるパチンコ機１について、図面を参照して説明する。以下の説明では、図１の上側、下側、左側、右側、手前側、奥側を、それぞれパチンコ機１の上側、下側、左側、右側、前側、後側とする。
【００１８】
図１を参照して、パチンコ機１の機械的構成について説明する。パチンコ機１の上半分の部分には、略正方形の遊技盤２が設けられている。遊技盤２は、透明なガラス板を保持したガラス枠１３によって前面を保護されている。遊技盤２の下方部には、発射機に遊技球を供給し、且つ賞品球を受ける上皿５が設けられている。上皿５の直下には、賞品球を受ける下皿６が設けられている。下皿６の右横には、遊技球の発射を調整する発射ハンドル７が設けられている。ガラス枠１３の上部の左右の角にはスピーカ４８がそれぞれ設けられている。
【００１９】
遊技盤２の前面には、ガイドレール３で囲まれた略円形の遊技領域４が形成されている。遊技領域４の略中央には、ＬＣＤである表示装置２８が設けられている。表示装置２８の表示領域では、大当たり判定の結果を遊技者に報知するための報知演出、大当たり遊技中の演出等、様々な演出の映像が表示される。特に、報知演出では複数のデモ図柄の変動および停止が行われ、同一のデモ図柄が所定ライン上に確定表示されることで、大当たり判定の結果が当たりであることが遊技者に報知される。
【００２０】
表示装置２８の外縁を取り囲むように、各種演出を行う演出装置３０が設けられている。演出装置３０は、表示装置２８およびスピーカ４８等と連動して、報知演出等の様々な演出を実行する。図示しないが、遊技盤２の所定位置には、遊技領域４を流下する遊技球が通過可能な普通図柄始動ゲートが設けられている。この普通図柄始動ゲートを遊技球が通過すると、普通当たり判定が行われる。また、表示装置２８の下方には、特別図柄始動口１４が設けられている。特別図柄始動口１４の直下には、特別図柄始動電動役物１５が配設されている。特別図柄始動電動役物１５の下方には、大入賞口１６が設けられている。さらに、遊技盤２には、上記以外に各種の電飾ランプ、入賞口、風車、および遊技釘が設けられている。
【００２１】
特別図柄始動口１４および特別図柄始動電動役物１５のいずれかに遊技球が入賞することを契機として、大当たり判定が行われる。ただし、特別図柄始動電動役物１５には開閉部材が設けられており、この開閉部材が開放されていない状態では、特別図柄始動電動役物１５への遊技球の入賞は困難となる。先述の普通当たり判定によって当たりと判定されると、この開閉部材が開放されて、特別図柄始動電動役物１５への遊技球の入賞が容易となる。
【００２２】
大入賞口１６にも開閉部材が設けられており、この開閉部材が開放された場合のみ、遊技球が大入賞口１６に入賞可能となる。大入賞口１６の開閉部材は、先述の大当たり判定によって当たりと判定された場合に、ソレノイドによって電気的に開放される。特別図柄始動口１４、特別図柄始動電動役物１５および大入賞口１６に遊技球が入賞すると、所定数の遊技球が払い出される。
【００２３】
図示しないが、パチンコ機１の背面側には、各種基板を備えた制御部が設けられている。制御部の各基板はＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。サブ制御基板は、主基板で行われた各種判定の結果等に基づいて、各種演出動作を実行する。
【００２４】
図２を参照して、演出装置３０について説明する。演出装置３０は、前方に開口する有底箱状の本体部３１を有する。本体部３１の底部（後側面）には、前後方向に貫通する表示用開口３２が形成されている。表示用開口３２は、演出装置３０の背後に設置される表示装置２８（図１参照）に対応する形状および大きさで形成されている。つまり、表示装置２８の表示面は表示用開口３２を介して前方に露出するため、遊技者は表示装置２８の演出画像等を前方から目視できる。
【００２５】
本体部３１における表示用開口３２の周囲には、報知演出等に用いられる各種の装飾体、可動体、発光ランプなどが配設されている。さらに、本体部３１の前面側には、正面視で本体部３１の開口を覆うように、略円形の枠状体である装飾部材４０が配設されている。装飾部材４０が.本体部３１の前面に配設された状態では、装飾部材４０の内側に形成されている開口が、表示用開口３２と前後方向に連通する。つまり、表示装置２８の演出画像等は、正面視で装飾部材４０の内側で表示される。
【００２６】
図３〜図５を参照して、装飾部材４０について説明する。装飾部材４０は、透明樹脂で成型されているため、その内部を通過する遊技球の挙動や、その背後に配置された電飾ランプの発光態様などを、遊技者が正面から目視可能である。装飾部材４０の左枠部分には、箱状の装飾体であるワープ導入部６１が設けられている。ワープ導入部６１の左側面には、遊技領域４を流下する遊技球が進入可能なワープ口６０が形成されている。
【００２７】
ワープ導入部６１内には、ワープ口６０から右方向に延びる球通路６１Ａが形成されている。ワープ導入部６１の下側には、筒状のワープ通路６２が設けられている。ワープ通路６２内には、球通路６１Ａの右端部から右下方向に延びる球通路６２Ａが形成されている。球通路６１Ａおよび球通路６２Ａが、ワープ口６０に進入した遊技球を後述のステージ５０に案内する遊技球の流路であるワープ通路６３を構成している。
【００２８】
ステージ５０は、装飾部材４０の下部上面に形成された略平面部分である。ワープ通路６３を流下した遊技球は、ステージ５０の左端側から供給される。つまり、ワープ口６０に進入した遊技球は、正面視で表示装置２８（図１参照）の直下に案内されて、ステージ５０上を転動する。ステージ５０は、ワープ通路６３を流下した遊技球が供給される第一ステージ７０と、第一ステージ７０よりも下方に設けられた第二ステージ８０とを含む。
【００２９】
第一ステージ７０は、正面視で表示装置２８（図１参照）の直下を左右対称に延びる面部であって、左側流路７１、右側流路７２、中央流路７３、左側球案内部７４、右側球案内部７５、中央球案内部７６、規制壁７７を含む。左側流路７１は、第一ステージ７０の左側から１／３の範囲を占める流路であり、右側に向けてやや下方に傾斜している。右側流路７２は、第一ステージ７０の右側から１／３の範囲を占める流路であり、左側に向けてやや下方に傾斜している。中央流路７３は、第一ステージ７０の中央部で１／３の範囲を占める流路であり、左端部で左側流路７１と連通し、右端部で右側流路７２と連通している。中央流路７３は、その左右方向中央部から左右両側に向けてやや下方に傾斜している。
【００３０】
左側球案内部７４は、左側流路７１と中央流路７３とが接続する部位に設けられた、前側に向けてやや下方に傾斜する面である。右側球案内部７５は、右側流路７２と中央流路７３とが接続する部位に設けられた、前側に向けてやや下方に傾斜する面である。中央球案内部７６は、中央流路７３の左右方向中央部に設けられた、前側に向けてやや下方に傾斜する面である。規制壁７７は、右側流路７２の右端側に移動した遊技球の飛び出しを防止する壁部である。
【００３１】
第二ステージ８０は、正面視で第一ステージ７０の直下前方を左右対称に延びる面部である。言い換えると、第二ステージ８０は、第一ステージ７０の一段下に形成された段差面であり、左分岐部８１、第一分岐路８２、第二分岐路８３、右分岐部８４、第三分岐路８５、第四分岐路８６、中央分岐部８７、落下案内部８８Ａ，８８Ｂ、中央転動部８９を含む。
【００３２】
左分岐部８１は、左側球案内部７４の前端中央から前方に延びる突条である。第一分岐路８２は、左分岐部８１から左前側に向けてやや下方に傾斜する面である。第一分岐路８２は、左分岐部８１から右側に向けてやや下方に傾斜する面である。右分岐部８４は、右側球案内部７５の前端中央から前方に延びる突条である。第三分岐路８５は、右分岐部８４から右前側に向けてやや下方に傾斜する面である。第四分岐路８６は、右分岐部８４からから左側に向けてやや下方に傾斜する面である。
【００３３】
つまり、左分岐部８１および右分岐部８４は、第二ステージ８０において最も高さ位置が大きい部位である。左分岐部８１から延びる第二分岐路８３と、右分岐部８４から延びる第四分岐路８６とは、第二ステージ８０の中央部に形成された略平面状の中央転動部８９に接続されている。中央転動部８９における中央球案内部７６の直下には、後述の球入口９１が形成されている。中央転動部８９の前縁部における球入口９１の手前側には、中央転動部８９から正面視で円弧状に盛り上がる中央分岐部８７が設けられている。中央分岐部８７の左右両側には、中央転動部８９から前側に下方傾斜する溝状の落下案内部８８Ａ、８８Ｂが設けられている。
【００３４】
装飾部材４０には、第二ステージ８０を転動する遊技球を、特別図柄始動口１４（図１参照）に向けて案内する誘導孔９０が設けられている。以下、図５〜図１０を参照して、誘導孔９０について説明する。なお、図８〜図１０は、理解を容易にするために、ステージ５０を取り除いた装飾部材４０を図示している。また、以下の説明では、図５の上側、下側、左側、右側、手前側、奥側を、それぞれ誘導孔９０の上側、下側、左側、右側、前側、後側する。
【００３５】
誘導孔９０は、球入口９１、案内路９２、および球出口９３を備えている。球入口９１は、中央転動部８９を転動している遊技球が進入可能な開口である。本実施形態の球入口９１は、遊技球の直径よりも若干大きい、中央転動部８９を上下方向に貫通する円形状の開口である。
【００３６】
球出口９３は、第二ステージ８０の前端縁から下方に延びる前板部４９に形成された、球入口９１に進入した遊技球を排出可能な開口である。球出口９３は、正面視で特別図柄始動口１４の直上に設けられている。本実施形態の球出口９３は、遊技球が通過可能な程度の大きさを有する、前板部４９を前後方向に貫通する略五角形状の開口である。球出口９３には、遊技球を排出しやすくするために、後方から前方に向けて開口面積を広くするテーパ状の傾斜面が形成されている。
【００３７】
案内路９２は、球入口９１から前側下方に向けて延びる遊技球の流路であって、球入口９１に進入した遊技球を球出口９３まで案内する。案内路９２は、球入口９１から略下方に延びる第一流路９２Ａと、第一流路９２Ａと連通して球出口９３まで略前方に延びる第二流路９２Ｂとからなる、側面視で略Ｌ字型の流路である（図７参照）。本実施形態の案内路９２は、その内部を流れる遊技球の中心が通る軌跡を平面視で屈折させるが、詳細は後述する。
【００３８】
第一流路９２Ａは、球落下部１０１、球送り部１０２、左側面部１０３の後側部分、左傾斜面１０４、右側面部１０５の後側部分、右傾斜面１０６に囲まれた遊技球の流路である。第二流路９２Ｂは、左側面部１０３の前側部分、右側面部１０５の前側部分、左底面部１０７、右底面部１０８、流路段差１０９、流路底面１１０に囲まれた遊技球の流路である。
【００３９】
球落下部１０１は、球入口９１から直下に延びる円筒部材であり、その内部に球入口９１から連通する遊技球の流路が形成されている。球送り部１０２は、球落下部１０１の直下に設けられた、側面視で円弧状をなすように後側上方に延びる湾曲した壁面であって、後方に延びるほど勾配が大きくなっている。球送り部１０２の上側部分における左右側縁から前方に向けて、左側面部１０３および右側面部１０５がそれぞれ延びている。球送り部１０２は、案内路９２の前後方向中央よりも若干後方まで延びている。これに対し、左側面部１０３および右側面部１０５は、案内路９２の前端部（つまり、球出口９３）まで延びている。
【００４０】
左側面部１０３および右側面部１０５は、上下方向および前後方向と平行に延びる垂直な壁面であって、遊技球の流路を挟んで左右に対向している。左側面部１０３と右側面部１０５との間隔（図１０に示す左右方向の流路幅Ｗ１）は、遊技球の直径よりも若干大きい。なお、平面視で、左側面部１０３と右側面部１０５との左右方向中心を通る仮想的な線が、案内路９２の中心線Ｌ１である（図１０参照）。
【００４１】
球送り部１０２の下側部分における左右側縁には、左傾斜面１０４および右傾斜面１０６が設けられている。左傾斜面１０４は、球送り部１０２の下側部分における左側縁から左上方向に延び、左側面部１０３の下端縁に接続される壁面である。右傾斜面１０６は、球送り部１０２の下側部分における右側縁から右上方向に延び、右側面部１０５の下端縁に接続される壁面である。なお、左傾斜面１０４および右傾斜面１０６は、それぞれ前方に向けて若干下方に傾斜するように、球送り部１０２の前端部と同じ前後方向位置まで延びている。
【００４２】
左傾斜面１０４の後端側は、球送り部１０２における垂直面部の下端部（言い換えると、球送り部１０２が前方に屈曲される部位）よりも若干上方に接続されている。つまり、左傾斜面１０４は、球送り部１０２における垂直面部の下端部よりも若干上方から右下方向に延びている。左傾斜面１０４は、垂直方向（図５等では上下方向）に向かって所定角度をなすように傾斜しており、本実施形態では左傾斜面１０４の傾斜角度θ１は「３０°」である（図５および図６参照）。
【００４３】
一方、右傾斜面１０６の後端側は、球送り部１０２における垂直面部の下端部に接続されている。つまり、右傾斜面１０６は、左傾斜面１０４よりも低い位置に設けられて、球送り部１０２における垂直面部の下端部から左下方向に延びている。右傾斜面１０６は、垂直方向に向かって所定角度よりも大きい角度をなすように傾斜しており、本実施形態では右傾斜面１０６の傾斜角度θ２は「４５°」である（図５および図６参照）。
【００４４】
このように傾斜角が異なる一対の傾斜面（つまり、左傾斜面１０４および右傾斜面１０６）によって、第一流路９２Ａの下端（言い換えると、球送り部１０２の前端側）に向かって遊技球の流路が狭くなっている。第一流路９２Ａの下端における流路幅、つまり左傾斜面１０４の下端部と右傾斜面１０６の下端部との間隔（左右方向の流路幅Ｗ２）は、遊技球の直径よりも小さい（図１０参照）。
【００４５】
また、第一流路９２Ａの下端では、中心線Ｌ１から左傾斜面１０４の前縁部下端までの距離のほうが、中心線Ｌ１から右傾斜面１０６の前縁部下端までの距離よりも小さい。そのため、平面視で、第一流路９２Ａの左右方向中心（具体的には、左傾斜面１０４の下端部と右傾斜面１０６の下端部との左右方向中心）を通る仮想的な線（第一流路９２Ａの中心線Ｌ２）が、先述の中心線Ｌ１よりも若干右側に位置している（図１０参照）。
【００４６】
球送り部１０２および左傾斜面１０４の各前縁部から下方に延びる板部によって、流路面の高さを一段低くするように流路段差１０９が形成されている。言い換えると、流路段差１０９は、第一流路９２Ａと第二流路９２Ｂとの連設部分に設けられ、第一流路９２Ａの下端部よりも第二流路９２Ｂの下端部のほうを低くする部位である。球送り部１０２の前側には、球送り部１０２よりも幅狭の水平な壁面である流路底面１１０が、流路段差１０９を介して前方に延びている。流路底面１１０における左右側縁には、左底面部１０７および右底面部１０８がそれぞれ設けられている。
【００４７】
左底面部１０７および右底面部１０８は、中心線Ｌ１を中心に左右対称をなす一対の傾斜面である。左底面部１０７は、流路底面１１０における左側縁から左上方向に延び、左側面部１０３の下端縁に接続されている。右底面部１０８は、流路底面１１０における右側縁から右上方向に延び、右側面部１０５の下端縁に接続されている。左底面部１０７および右底面部１０８は、それぞれ垂直方向（図５等では上下方向）に向かって所定角度をなすように傾斜しており、本実施形態では垂直方向に向かう傾斜角度がそれぞれ「４５°」である（図５および図６参照）。
【００４８】
そのため、平面視で、第二流路９２Ｂの左右方向中心（具体的には、流路底面１１０の左右方向中心）を通る仮想的な線は、先述の中心線Ｌ１と略一致する。言い換えると、第二流路９２Ｂの中心線Ｌ１は、第一流路９２Ａの中心線Ｌ２よりも若干左側に位置している（図１０参照）。つまり、第二流路９２Ｂは、第一流路９２Ａの下端部に対して左右方向に僅かにずれた形で連設している。
【００４９】
また、左底面部１０７は、左傾斜面１０４の前側に設けられて、流路段差１０９を介して前方に延びている。右底面部１０８は、右傾斜面１０６の前側に設けられて、右傾斜面１０６と面一となるように前方に延びている。左底面部１０７の傾斜方向長さ（つまり、流路幅）は、左傾斜面１０４の傾斜方向長さ（つまり、流路幅）よりも大きいため、左底面部１０７の下端部は平面視で中心線Ｌ１（図１０参照）の近傍まで延びている。同様に、右底面部１０８の傾斜方向長さ（つまり、流路幅）は、右傾斜面１０６の傾斜方向長さ（つまり、流路幅）よりも大きいため、右底面部１０８の下端部は平面視で中心線Ｌ１（図１０参照）の近傍まで延びている。
【００５０】
したがって、第二流路９２Ｂの下端における流路幅、つまり流路底面１１０上における左右方向長さ（左右方向の流路幅Ｗ３）は、第一流路９２Ａの下端における流路幅Ｗ２よりも小さい（図１０参照）。ただし、第二流路９２Ｂの下端における流路幅Ｗ３は、前方に向けて漸増するように、流路底面１１０の形成幅が調整されている。これにより、流路底面１１０に沿って延びる左底面部１０７と右底面部１０８との間に、遊技球の下端が嵌まる案内溝１２０が形成されている。案内溝１２０の左右方向中心を通る仮想的な線も、平面視で中心線Ｌ１（図１０参照）と一致する。つまり、案内溝１２０は、平面視で球出口９３の中心位置を通るように前後方向に延びている。
【００５１】
なお、流路底面１１０、左底面部１０７、および右底面部１０８は、それぞれ前方に向けて若干下方に傾斜するように、案内路９２の前端部（つまり、球出口９３）まで延びている。これらの壁面の前縁部は、前板部４９に形成された略五角形状の球出口９３の対応した輪郭部分に連設されている。
【００５２】
図１１〜図１４を参照して、ステージ５０上を転動する遊技球の挙動パターンについて説明する。なお、図１１〜図１４では、遊技時に遊技盤２を流下する遊技球の挙動を図示している。また、図１３および図１４では、誘導孔９０内を案内される遊技球の中心が通る軌跡を、各時点における遊技球の中心位置Ｐ１、Ｐ２、Ｐ３、Ｐ４、Ｐ５、Ｐ６を時系列で結んで図示している。図１３において、正面視で、左側面部１０３と右側面部１０５との左右方向中心を通る仮想的な線が、案内路９２の中心線Ｌ１と交差する垂直線Ｌ３である。
【００５３】
図１１に示すように、遊技領域４を流下する遊技球がワープ口６０に進入すると、その遊技球はワープ通路６３を流下して、第一ステージ７０の左側流路７１上に排出される。さらに、遊技球は左側流路７１によって右方向に案内されて、中央流路７３を経由して右側流路７２まで転動して、規制壁７７に衝突する。規制壁７７に衝突した遊技球は、右側流路７２の傾斜によって左方向に案内されて、中央流路７３を経由して左側流路７１まで転動して、左側流路７１の傾斜によって再び右方向に案内される。つまり、遊技球は、第一ステージ７０上を左右方向に転動する。
【００５４】
第一ステージ７０上を転動する遊技球の勢いが弱くなると、遊技球は左側球案内部７４、右側球案内部７５、中央球案内部７６のいずれかから、第一ステージ７０の前方（つまり、第二ステージ８０上）に案内される。詳細には、左側球案内部７４から第二ステージ８０上に案内された遊技球は、左分岐部８１によって第一分岐路８２および第二分岐路８３のいずれかに振り分けられる。第一分岐路８２に振り分けられた遊技球は、第一分岐路８２の前端から落下する。第二分岐路８３に振り分けられた遊技球は、中央転動部８９に向けて案内される。
【００５５】
右側球案内部７５から第二ステージ８０上に案内された遊技球は、右分岐部８４によって第三分岐路８５および第四分岐路８６のいずれかに振り分けられる。第三分岐路８５に振り分けられた遊技球は、第三分岐路８５の前端から落下する。第四分岐路８６に振り分けられた遊技球は、中央転動部８９に向けて案内される。なお、中央球案内部７６から第二ステージ８０上に案内された遊技球は、中央転動部８９に落下する。
【００５６】
球入口９１は、正面視で中央球案内部７６の直下に設けられている。そのため、中央球案内部７６から第二ステージ８０上に案内された遊技球は、高確率で球入口９１に落入する。また、第二分岐路８３または第四分岐路８６から案内された遊技球は、中央球案内部７６上を転動する。中央球案内部７６上を転動する遊技球の一部が、球入口９１に落入する。中央球案内部７６上を転動する遊技球のうちで、球入口９１に落入しない遊技球は、落下案内部８８Ａ、８８Ｂの前端から落下する。
【００５７】
図１０および図１１に示すように、球入口９１に落入した遊技球は、案内路９２を経由して球出口９３から前方に排出される。球出口９３は、正面視で、特別図柄始動口１４（図１参照）の直上に設けられている。そのため、球出口９３から排出された遊技球は、直下に位置する特別図柄始動口１４に高確率で落入する。さらに、本実施形態では、先述した誘導孔９０の構造的特徴によって、球入口９１に落入した遊技球が極めて高い確率で特別図柄始動口１４に落入するが、以下説明する。
【００５８】
図１３および図１４に示すように、球入口９１に落入した遊技球は、まず第一流路９２Ａに沿って流動する。すなわち、球落下部１０１の内部を落下して、球送り部１０２上に供給される。このとき、遊技球の中心位置は下方に移動するが、平面方向（具体的には、前後左右方向）には移動しない（中心位置Ｐ１→Ｐ２）。図１３、１４に示す例では、遊技球の中心位置Ｐ１→Ｐ２の軌跡は、平面視で変化なく、且つ正面視で垂直線Ｌ３と平行であるが、中心線Ｌ１および垂直線Ｌ３よりも僅かに左側に位置している。
【００５９】
遊技球が球送り部１０２上に供給されると、右傾斜面１０６よりも高い位置に設けられている左傾斜面１０４が、その遊技球に対して正面視で斜め下方（具体的には、遊技球の左下側）から接触する。左傾斜面１０４に接触した遊技球は、左傾斜面１０４で弾かれる。このとき、遊技球の中心位置は、左傾斜面１０４での反発力および重力の作用によって、右下方向に移動する。さらに、この遊技球には、球送り部１０２の湾曲形状によって前方に送り出される作用が生じる。これによって、遊技球の中心位置は、前方向にも移動する（中心位置Ｐ２→Ｐ３）。図１３、１４に示す例では、遊技球の中心位置Ｐ２→Ｐ３の軌跡は、平面視で中心線Ｌ１と交差し、且つ正面視で垂直線Ｌ３と交差する。ただし、中心位置Ｐ３は、平面視で、中心線Ｌ２（図１０参照）またはその近傍に位置している。
【００６０】
次いで、右傾斜面１０６で弾かれた遊技球に対して、右傾斜面１０６と対向配置されている右傾斜面１０６が、斜め下方（具体的には、遊技球の右下側）から接触する。右傾斜面１０６に接触した遊技球は、右傾斜面１０６で弾かれる。このとき、遊技球の中心位置は、右傾斜面１０６での反発力および重力の作用によって、左下方向に移動する。ただし、右傾斜面１０６は左傾斜面１０４よりも垂直に近い傾斜角度であるため、右傾斜面１０６で弾かれた遊技球の左方向への移動量は、左傾斜面１０４で弾かれた遊技球の右方向への移動量よりも小さい。さらに、この遊技球には、球送り部１０２の湾曲形状によって前方に送り出される作用が生じているため、遊技球の中心位置は前方向にも移動する（中心位置Ｐ３→Ｐ４）。図１３、１４に示す例では、遊技球の中心位置Ｐ３→Ｐ４の軌跡は、平面視で中心線Ｌ１と交差し、且つ正面視で垂直線Ｌ３と交差する。ただし、中心位置Ｐ４は、平面視で、中心線Ｌ１またはその近傍に位置している。
【００６１】
右傾斜面１０６で弾かれた遊技球は、流路段差１０９を経由して第一流路９２Ａから第二流路９２Ｂに移動する。このとき、遊技球は流路段差１０９による高低差分を落下するから、遊技球に落下時の衝撃が加えられて、その後に遊技球が第二流路９２Ｂに沿って流動する。すなわち、遊技球の下端が案内溝１２０に嵌まった状態でガイドされつつ、遊技球が前方に向かって案内される。このとき、遊技球の中心位置は、案内溝１２０に沿って前方向に移動する。また、案内溝１２０は前方に向けて若干下方傾斜しているため、遊技球の中心位置は下方向にも移動する（中心位置Ｐ４→Ｐ５）。図１３、１４に示す例では、遊技球の中心位置Ｐ４→Ｐ５の軌跡は、平面視で中心線Ｌ１と略一致し、且つ正面視で垂直線Ｌ３と略一致している。
【００６２】
最後に、案内溝１２０によって第二流路９２Ｂを案内された遊技球は、球出口９３から直下に排出される。このとき、遊技球の中心位置は下方に移動するが、平面方向（具体的には、前後左右方向）にはほとんど移動しない（中心位置Ｐ５→Ｐ６）。図１３、１４に示す例では、遊技球の中心位置Ｐ５→Ｐ６の軌跡も、平面視で中心線Ｌ１と略一致し、且つ正面視で垂直線Ｌ３と略一致している。なお、中心位置Ｐ６まで移動した遊技球は、平面視で変化がない垂直線Ｌ３と略一致する軌跡で落下して、特別図柄始動口１４に入賞する。
【００６３】
このように、本実施形態では、誘導孔９０の内部を流れる遊技球の中心が通る軌跡は、平面視で屈折している（中心位置Ｐ２→Ｐ３→Ｐ４参照）。つまり、誘導孔９０に落下した遊技球は、誘導孔９０内で蛇行するように案内される過程で、ステージ５０上での転動時に生じた慣性の作用が大幅に低減される。そうすると、球出口９３から排出される遊技球に不規則な方向に作用する慣性が生じることを抑制でき、遊技球の挙動を安定させることができる。ひいては、遊技球が誘導孔９０の直下に向けて正確に排出されるため、遊技球を特別図柄始動口１４に高確率で入賞させることができる。
【００６４】
また、案内路９２は側面視で略Ｌ字型の流路であるため、第一流路９２Ａを経由した遊技球は第二流路９２Ｂに向けて流動方向が変化する。球入口９１から落下した遊技球は、この流動方向の変化によって、ステージ５０上での転動時に生じた慣性の作用が大幅に低減される。その結果、案内路９２内における遊技球の勢いが弱められるから、遊技球が球出口９３から大きく飛び出すことを抑制でき、ひいては、遊技球を特別図柄始動口１４に高確率で入賞させることができる。
【００６５】
また、第一流路９２Ａに傾斜角が異なる一対の傾斜面（すなわち、左傾斜面１０４および右傾斜面１０６）を設けることで、球入口９１に進入した遊技球を一対の傾斜面のいずれかに優先的に接触させて、遊技球を誘導孔９０内で蛇行させることができる。具体的には、球入口９１に進入した遊技球は、左傾斜面１０４に接触して弾かれる。左傾斜面１０４で弾かれた遊技球は、右傾斜面１０６に接触して弾かれる。このように一対の傾斜面で順次弾かれることで、遊技球を誘導孔９０内で蛇行させることができる。また、第二流路９２Ｂで案内される遊技球は、ステージ５０上での転動時に生じた慣性の作用が大幅に低減されているので、球ブレのない状態で球出口９３から排出することができる。
【００６６】
また、左傾斜面１０４の下端部と右傾斜面１０６の下端部との流路幅Ｗ２は、遊技球の径よりも小さい。これにより、球入口９１に進入した遊技球を左傾斜面１０４および右傾斜面１０６の両方で弾かれやすくすることができ、ひいてはステージ５０上での転動時に生じた慣性の作用を低減できる。
【００６７】
また、第一流路９２Ａを経由した遊技球は、第一流路９２Ａよりも低い位置にある第二流路９２Ｂに、流路段差１０９を介して案内される。これにより、遊技球が流路段差１０９を落下する時の衝撃によって、ステージ５０上での転動時に生じた慣性の作用をさらに低減できる。
【００６８】
また、第二流路９２Ｂでは、遊技球の下端部が案内溝１２０に嵌まる。そのため、案内溝１２０の形成方向とは異なる方向への移動が規制されつつ、遊技球が案内溝１２０に沿って球出口９３まで案内される。したがって、第二流路９２Ｂで案内される遊技球について、ステージ５０上での転動時に生じた慣性の作用をさらに低減できる。
【００６９】
ところで、上記実施形態において、特別図柄始動口１４が本発明の「入賞口」に相当する。装飾部材４０が本発明の「遊技部材」に相当する。左傾斜面１０４および右傾斜面１０６が本発明の「一対の傾斜面」に相当する。左傾斜面１０４が本発明の「第一傾斜面」に相当する。右傾斜面１０６が本発明の「第二傾斜面」に相当する。案内溝１２０が本発明の「溝部」に相当する。
【００７０】
なお、本発明は上記実施形態に限定されるものではなく、発明の要旨を変更しない範囲での変更が可能である。例えば、上記実施形態では、特別図柄始動口１４に遊技球を案内する誘導孔９０に本発明を適用した場合を例示したが、他の入賞口に遊技球を案内する誘導孔に本発明を適用してもよい。例えば、ステージ面が形成された遊技部材に、大入賞口や普通入賞口に遊技球を案内する誘導孔が設けられている場合、この誘導孔に本発明を適用してもよい。
【符号の説明】
【００７１】
１    パチンコ機
１４    特別図柄始動口
４０    装飾部材
５０    ステージ
９０    誘導孔
９１    球入口
９２    案内路
９２Ａ    第一流路
９２Ｂ    第二流路
９３    球出口
１０１    球落下部
１０２    球送り部
１０３    左側面部
１０４    左傾斜面
１０５    右側面部
１０６    右傾斜面
１０７    左底面部
１０８    右底面部
１０９    流路段差
１１０    流路底面
１２０    案内溝
【図１】
0005713176.tif 000002
【図２】
0005713176.tif 000003
【図３】
0005713176.tif 000004
【図４】
0005713176.tif 000005
【図５】
0005713176.tif 000006
【図６】
0005713176.tif 000007
【図７】
0005713176.tif 000008
【図８】
0005713176.tif 000009
【図９】
0005713176.tif 000010
【図１０】
0005713176.tif 000011
【図１１】
0005713176.tif 000012
【図１２】
0005713176.tif 000013
【図１３】
0005713176.tif 000014
【図１４】
0005713176.tif 000015